(57)【特許請求の範囲】
【請求項１】
水洗便器を洗浄する洗浄水を貯水する便器洗浄水タンクであって、
外装タンクと、
前記外装タンクの上方に着脱自在に固定される外蓋と、
前記外装タンク内に装着されると共に内部に給水手段の少なくとも一部を備え、前記給水手段から給水された洗浄水を貯水する内装タンクと、
前記内装タンクの上方に着脱自在に固定される内蓋と、
前記外蓋の上方に吐水口が位置し手洗いのための洗浄水を吐水する手洗い吐水管と、を備え、
前記外蓋の上面には手洗い鉢が形成されると共に前記手洗い鉢で受けた洗浄水を前記内装タンク内へ排水する排水口が形成され、且つ、前記内蓋には前記排水口から排水された洗浄水を前記内装タンク内へ導水する開口部が形成されるものであって、
前記給水手段は、外部の給水源に接続された給水管及びこの給水管から供給される洗浄水の前記内装タンク内への吐水及び止水を切り替える給水弁を備えた給水部本体と、前記内装タンク内の水位の変動に伴って上下動するフロートと、一端部が前記フロートに取り付けられ、前記フロートの上下動に連動して前記給水弁の吐水及び止水を切り替えるアームと、を備え、
前記内蓋の内面から前記給水手段の給水部本体に水滴が滴下することを防止する水滴滴下防止手段を備え、
前記水滴滴下防止手段は、前記給水部本体の直上方にあたる部分と前記開口部との間に設けられ、前記内蓋の内面において下方に凸設するリブであることを特徴とする便器洗浄水タンク。
【発明の詳細な説明】
【技術分野】
【０００１】
本発明は、水洗便器と共に使用される便器洗浄水タンクに関する発明である。
【背景技術】
【０００２】
従来、便器洗浄水タンクは、陶器からなる外装タンクとその内側に配置された内装タンクの２つのタンクによって２重構造となっており、使用者が排泄後に手洗いを行えるように、外装タンク上部に手洗い吐水管及び手洗い鉢が設けられている。
【０００３】
従来の便器洗浄水タンクにおいては、内装タンクと外装タンクとの間で結露の発生を防ぐために、内装タンク上方に結露防止カバーが着脱自在に固定されている。また、結露防止カバーには開口部が形成されており、手洗い鉢の排水口から排水された洗浄水を、その開口部を介して、内装タンク内へ導くよう構成している。（特許文献１参照）
【０００４】
上記の便器洗浄水タンクの最近の使用形態として、水洗便器のボウル面に汚物等が付着することを防止すべく、手洗い鉢の排水口に市販の薬剤を載置するようなケースが多発している。
このような使用形態では、手洗い吐水管の吐水口から吐水された洗浄水に薬剤が溶け込み、この薬剤が溶け込んだ洗浄水（以下、「薬剤入り洗浄水」という）が内装タンク内に貯水されることになる。このとき、薬剤入り洗浄水が、手洗い鉢の排水口から結露防止カバーの開口部を介して内装タンク内に排水される際、その薬剤入り洗浄水の一部が、結露防止カバーの開口部にあたることがある。結露防止カバーの開口部にあたった薬剤入り洗浄水は、結露防止カバーの内面（裏面）を伝って周囲に移動し、ある程度の大きさの水滴になると落下する。この時、落下した水滴が内装タンク内に配置された給水装置に付着すると、給水装置によっては、一部の部品が薬剤に弱い樹脂等からなるため、劣化・破損してしまうという問題があった。
【先行技術文献】
【特許文献】
【０００５】
【特許文献１】特開２０１０−２３６２７６号公報
【発明の概要】
【発明が解決しようとする課題】
【０００６】
本発明は、上記のような従来の問題に鑑みなされたものであって、手洗い吐水管の吐水口から吐水された洗浄水の一部が、結露防止カバーの内面（裏面）を伝って給水装置側へ移動・落下することで、給水装置にその水滴が付着し、給水装置が劣化・破損することを防止することができる便器洗浄水タンクを提供することを目的とするものである。
【課題を解決するための手段】
【０００７】
上記のような課題を解決するために、本発明は、以下のような手段を採用している。すなわち、本発明の便器洗浄水タンクは、外装タンクと、外装タンクの上方に着脱自在に固定される外蓋と、外装タンク内に装着されると共に内部に給水手段の少なくとも一部を備え、給水手段から給水された洗浄水を貯水する内装タンクと、内装タンクの上方に着脱自在に固定される内蓋と、外蓋の上方に吐水口が位置し手洗いのための洗浄水を吐水する手洗い吐水管と、を備え、外蓋の上面には手洗い鉢が形成されると共に手洗い鉢で受けた洗浄水を前記内装タンク内へ排水する排水口が形成され、且つ、内蓋には前記排水口から排水された洗浄水を内装タンク内へ導水する開口部が形成されるものであって、給水手段は、外部の給水源に接続された給水管及びこの給水管から供給される洗浄水の内装タンク内への吐水及び止水を切り替える給水弁を備えた給水部本体と、内装タンク内の水位の変動に伴って上下動するフロートと、一端部がフロートに取り付けられ、フロートの上下動に連動して給水弁の吐水及び止水を切り替えるアームと、を備え、内蓋の内面から給水手段の給水部本体に水滴が滴下することを防止する水滴滴下防止手段を備え、水滴滴下防止手段は、給水部本体の直上方にあたる部分と開口部との間に設けられ、内蓋の内面において下方に凸設するリブであることを特徴としている。
このように構成された本発明においては、水滴滴下防止手段は、内蓋の内面において下方に凸設するリブであり、このリブが、給水部本体の直上方にあたる部分と開口部との間に設けられているため、手洗い鉢の排水口から排水された洗浄水が、内蓋の開口部から内蓋の内面を伝って給水部本体側へ移動したとしても、このリブにより内装タンク内へ滴下させることができるため、給水部本体への滴下を防止することができる。したがって、給水手段の止水不良を防止することができる。
【発明の効果】
【０００９】
本発明の便器洗浄水タンクによれば、手洗い吐水による洗浄水が、給水手段の給水部本体に付着することを防止でき、給水部本体の劣化・破損を防止することができる。
【図面の簡単な説明】
【００１０】
【図１】本発明の実施形態である便器洗浄水タンクを備えた水洗便器の断面図である。
【図２】本発明の実施形態である便器洗浄水タンクの内部を示す正面断面図である。
【図３】図２に示す内蓋の平面図である。
【図４】図３に示す内蓋のＡ−Ａ断面図である。
【発明を実施するための形態】
【００１１】
以下、添付図面により、本発明の実施形態による便器洗浄水タンクを説明する。
まず、図１は、本実施形態による便器洗浄水タンクを備えた水洗便器の断面図である。
図１に示すように、符号１は水洗便器を示し、この水洗便器１の上部の前方側には、ボウ
ル部２が形成され、後方側の上部には導水路３が、導水路３の下方にはボウル部２と連通
する排水トラップ管路８が、それぞれ形成されている。
【００１２】
水洗便器１のボウル部２の上縁部にはオーバーハング形状のリム６が形成され、このリ
ム６に導水路３から洗浄水が供給される１つ又は２つのリム吐水口４が形成され、洗浄水が旋回しながら下降してボウル部２を洗浄できるようになっている。また、ボウル部２
の中心下部には、導水路３から洗浄水が供給されるジェット吐水口１０が形成され、この
ジェット吐水口１０から洗浄水が排水トラップ管路８に向けて吐水され、サイホンを短時
間で発生されるようになっている。
【００１３】
水洗便器１の導水路３の上方には、水洗便器１を洗浄する洗浄水を溜める本実施形態の
便器洗浄水タンクに相当する、いわゆる、ロータンク１１が設けられている。このロータ
ンク１１の底面１２ａには、水洗便器１の導水路３と連通する連通口１２ｂが形成されて
いる。
【００１４】
次に図２〜図４を参照して、本実施形態の便器洗浄水タンク（ロータンク）の詳細について説明する。ここで、図２は本実施形態の便器洗浄水タンク（ロータンク）の内部を示す正面断面図である。
図２に示すように、ロータンク１１は、ロータンク１１の外枠を形成する陶器からなる
外装タンク１２と、この外装タンク１２の上に着脱自在に固定され且つその上面に手洗い鉢１６ａを形成する陶器からなる外蓋１６とを備えている。
【００１５】
外装タンク１２は、その内部に洗浄水が貯留される樹脂からなる内装タンク２０を備え、この内装タンク２０には、排水弁２２、オーバーフロー管２６、給水管４０、ボールタップ３２、及び、フロート３４が設けられている。また、内装タンク２０の上面には、詳細は後述する内蓋（結露防止カバー）１８が覆うように配置されている。
【００１６】
まず、排水弁２２は、大洗浄用の弁体２２ｂと小洗浄用の弁体２２ａを備え、両弁体２２ａ，２２ｂは、ロータンク１１の底面１２ａの連通口１２ｂの部分に設けられている。
また、各弁体２２ａ，２２ｂは、操作レバー３０に接続された玉鎖２４ａ，２４ｂにそれぞれ接続されており、操作レバー３０を操作して大洗浄又は小洗浄を切り替えることにより、大洗浄用の弁体２２ｂ又は小洗浄用の弁体２２ａの開閉操作が行われるようになって
いる。そして、排水弁２２は、閉操作により洗浄水を外装タンク１２の内装タンク２０内に貯水し、開操作により、外装タンク１２の内装タンク２０内の洗浄水を水洗便器１の導水路３を経由して、リム吐水口４及びジェット吐水口１０に導くようになっている。
【００１７】
つぎに、オーバーフロー管２６は、その上端に開口が形成されその下端が排水弁２２の弁座２１に連通するように設けられている。このオーバーフロー管２６により、洗浄水の水位が万一上昇しても、その開口から、洗浄水がオーバーフローし、排水弁２２の弁座２１を経由して、さらに、水洗便器１の導水路３を経て、リム吐水口４とジェット吐水口１０から、ボウル部２内に排出されるようになっている。
【００１８】
つぎに、給水管４０は、ロータンク１１の底面１２ａに取り付けられ、外部の水道等の
給水源（図示せず）に接続され、外装タンク１２の内装タンク２０内に供給するようになっている。
給水管４０の先端部には、外装タンク１２の内装タンク２０内に洗浄水を給水する給水手段としてボールタップ３２が設けられている。このボールタップ３２には、アーム３６が取り付けられており、さらに、アーム３６の右端部にはフロート３４が取り付けられている。ボールタップ３２の給水部本体３８には給水弁（図示せず）が設けれ、フロート３４が内装タンク２０内の洗浄水の水位の変動に伴って上下動することにより、給水部本体３８内の給水弁（図示せず）が開閉し、給水管４０から内装タンク２０内への洗浄水の吐水及び止水が切り替えられるようになっている。なお、給水部本体３８、アーム３６及びフロート３４は、いずれも樹脂からなっている。
【００１９】
つぎに、図２〜図４を参照して、内蓋（結露防止カバー）１８の詳細について説明する。ここで、図３は、図２に示す本実施形態による内蓋（結露防止カバー）１８の平面図である。また、図４は、図３の内蓋（結露防止カバー）１８のＡ−Ａ断面図である。
図２〜図４に示すように、内蓋（結露防止カバー）１８は、その上方に位置する外蓋１６の内面等に付着している結露が落下し、内装タンク２０の内部の排水弁２２、オーバーフロー管２６、給水管４０、ボールタップ３２、及び、フロート３４等の内部機器や内部部材を濡らしてしまうのを防ぐようになっている。また、内蓋（結露防止カバー）１８には手洗い鉢１６ａの排水口１６ｂと対向する位置に開口部１８ｂが形成されており、手洗い鉢１６ａの排水口１６ｂから排水される洗浄水を内装タンク２０内へ導水するようになっている。
【００２０】
また、内蓋（結露防止カバー）１８の上面は、開口部１８ｂに近い方から、第１の傾斜部１８ｃ、第２の傾斜部１８ｄ、第３の傾斜部１８ｅが形成されており、外蓋１６の内面等から内蓋（結露防止カバー）１８の上面に落ちた水滴を開口部１８ｂに案内するようになっている。
【００２１】
内装タンク２０内に洗浄水を給水する給水手段であるボールタップ３２には、手洗い鉢１６ａの上方に固定される手洗い吐水管１４へ給水を導く導水管（図示せず）が、内装タンク２０内へ給水する給水管（図示せず）とは別に分岐して設けられている。
使用者が操作レバー３０を操作し、内装タンク２０内の洗浄水が水洗便器１のボウル部２に排水された際は、それに伴いボールタップ３２の給水管を通して内装タンク２０内へ給水することになる。その際、給水管に給水するのとほぼ同時に導水管にも給水することになり、内装タンク２０内への給水と手洗い吐水管１４への給水とはほぼ同時に行われることになる。
【００２２】
つぎに、内蓋（結露防止カバー）１８の内面（裏面）について説明する。図２〜図４に示すように、内蓋（結露防止カバー）１８の内面には、下方に凸設されたリブ１８ａが形成されている。リブ１８ａは、内蓋（結露防止カバー）１８の内面においてボールタップ３２の給水部本体３８の直上方部分（図２の領域Ｂ）と、開口部１８ｂとの間に位置し、前方から後方に向けて延びるように形成されている。また、内蓋（結露防止カバー）１８の周縁には、上方に凹む取り付け凹部１８ｆが形成されており、内装タンク２０の上端縁がこの取り付け凹部１８ｆに嵌ることで、内蓋（結露防止カバー）１８が内装タンク２０に対して外れにくくなっている。
【００２３】
手洗い吐水管１４の吐水口１４ａから吐水された洗浄水は、手洗い鉢１６ａの排水口１６ｂから内蓋（結露防止カバー）１８の開口部１８ｂを介して、内装タンク２０内へ排水されることになるが、その際、排水された洗浄水の一部が開口部１８ｂの縁にあたり、内蓋（結露防止カバー）１８の内面を伝って周囲に広がることがある。この際、内蓋（結露防止カバー）１８の内面を伝って移動する水滴は、他の複数の水滴と結合して、大きな水滴となり下方に滴下する。そこで、本実施形態では、上述したリブ１８ａにより、内蓋（結露防止カバー）１８の内面を伝って移動する水滴を積極的に内装タンク２０内に滴下させるようにしている。
【００２４】
上述した本発明の実施形態の便器洗浄水タンクによれば、内蓋（結露防止カバー）１８の内面には、下方に凸設されたリブ１８ａが形成されており、そのリブ１８ａがボールタップ３２の給水部本体３８の直上方部分と、開口部１８ｂとの間に位置している。したがって、手洗い吐水管１４の吐水口１４ａから吐水された洗浄水の一部が、内蓋（結露防止カバー）１８の開口部１８ｂにあたり、内蓋（結露防止カバー）１８の内面を伝って給水部本体３８側に移動したとしても、リブ１８ａによって給水部本体３８の手前で内装タンク２０内に滴下させることができ、給水部本体３８上で滴下することを防止できる。したがって、使用者によって手洗い鉢１６ａ上に市販の薬剤等が載置される場合であっても、薬剤を含む水滴が給水部本体３８上に滴下することを防止でき、薬剤による給水部本体の劣化・破損を防止することができる。
【００２５】
さらに、本実施形態では、上述のように内蓋（結露防止カバー）１８の開口部１８ｂから遠ざかるにつれて、第１の傾斜部１８ｃ、第２の傾斜部１８ｄ、第３の傾斜部１８ｅといった開口部側へ傾斜する傾斜部が形成されているため、内蓋（結露防止カバー）１８の内面を伝って移動する水滴が給水部本体３８側へ行くことがないように抑制することができ、より確実に給水部本体の劣化・破損を防止することができる。
【００２６】
なお、本実施形態のリブ１８ａは、内蓋（結露防止カバー）１８の内面において、ボールタップ３２の給水部本体３８の直上方部分と、開口部１８ｂとの間に位置するように構成しているが、これに限らず、ボールタップ３２のフロート３４の直上方部分と、開口部１８ｂとの間に形成してもよい。このようにすれば、水滴がフロート３４上に滴下することを防止することができる。
【００２７】
また、本実施形態の給水部本体３８は、少なくとも給水弁（図示せず）を備えるものであるが、これに加えて、ストレーナや定流量弁を備えるように構成してもよい。
【００２８】
また、例えば、本実施形態のリブ１８ａの代わり、または追加部材として、給水部本体３８に、給水部本体３８の上方及び側方を覆うカバー部材を着脱自在に取り付けてもよい。このようにすれば、給水部本体３８上に水滴が滴下することをより確実に防止することができる。
【符号の説明】
【００２９】
１    水洗便器
２    ボウル部
３    導水路
４    リム吐水口 
６    リム
８    排水トラップ管路
１０    ジェット吐水口
１１    ロータンク
１２    外装タンク
１２ａ    ロータンクの底面
１２ｂ    連通口
１４    手洗い吐水管
１４ａ    手洗い吐水口
１６    外蓋
１８    内蓋
１８ａ    リブ
１８ｂ    開口部
１８ｃ    第１の傾斜部
１８ｄ    第２の傾斜部
１８ｅ    第３の傾斜部
１８ｆ    取り付け凹部
２０    内装タンク
２２    排水弁
２４ａ、２４ｂ    玉鎖
２６    オーバーフロー管
３０    操作レバー
３２    ボールタップ
３４    フロート
３６    アーム
３８    給水部本体
４０    給水管
【図１】
0005928978.tif 000002
【図２】
0005928978.tif 000003
【図３】
0005928978.tif 000004
【図４】
0005928978.tif 000005